(57)【特許請求の範囲】
【請求項１】
伝送リンクと相互接続された複数のノードを含むパケット又はセル交換ネットワークにおいてソース・ノード（ノード３）及び宛先ノード（ノード４）の間に確立されたデータ・トラフィックおよび連続ビット・レート（ＣＢＲ）での音声（ＳＶＣ）の伝送を含む仮想パス接続における、前記連続ビット・レート（ＣＢＲ）の帯域幅を調節する方法であって、前記方法が、
伝送リンクの利用及び予約に関する情報へのアクセスを有する１つのアクティブな集中型サーバとしての帯域幅管理サーバを前記ネットワークにおいて定義するステップと、
仮想パス接続（ｊ）内に設けられる仮想チャネル接続（ｊ）が前記ネットワーク上に確立される度に、該仮想チャネル接続（ｊ）のために予約された初期帯域幅に関する表示を前記帯域幅管理サーバに通知するステップと、
連続モード又は周期的モードで、伝送リンク上で連続ビット・レート（ＣＢＲ）での音声（ＳＶＣ）の伝送を確保しつつ前記仮想チャネル接続（ｊ）が使用可能な帯域幅を計算し、前記ネットワーク上に確立された帯域幅調節可能な仮想チャネル接続（ｊ）の間で前記帯域幅を共用し、これらの前記仮想チャネル接続（ｊ）に対する新しい帯域幅を決定するステップと、
帯域幅調節可能な仮想チャネル接続（ｊ）に関して、既に予約された帯域幅とは異なる新しい帯域幅を前記帯域幅管理サーバが計算する度に、前記新しい帯域幅を前記ソース・ノードに通知するステップと、
前記帯域幅管理サーバから受け取った前記新しい帯域幅に従って前記帯域幅調節可能な仮想チャネル接続（ｊ）の帯域幅を調節するステップと、
を含むことを特徴とする方法。
【請求項２】
前記帯域幅管理サーバは、
前記ネットワークにおいて確立された各仮想チャネル接続（ｊ）に対して、前記予約された帯域幅に関する情報を持った接続割振りテーブル（ＣＡＴ）と、
各リンク（ｋ）上に確立された各帯域幅調節可能な仮想チャネル接続（ｊ）に対して、前記リンク（ｋ）上の使用可能なマージナル帯域幅に関する情報を持った各リンク（ｋ）に特有のリンク割振りテーブル（ＬＡＴｋ）と、
を維持する、請求項１に記載の方法。
【発明の詳細な説明】
【０００１】
【発明の属する技術分野】
本発明は、パケット／セル交換ネットワーク又はＡＴＭネットワークに係り、更に詳しく云えば、現在のネットワーク・リソース予約に従って連続ビット・レート仮想パス接続（ＣＢＲ  ＶＰＣ）の帯域幅を動的に調節するための方法に係る。
【０００２】
【従来の技術】
Ａ．高速通信ネットワーク
現在の通信ネットワークでは、種々のタイプのアプリケーションが同じ伝送媒体を共用しなければならず、ネットワーク機器は、指定されたサービス品質（以下「サービスの質」とも称する）をそれらの各々に対して保証すると共にこれらの種々のサービスをサポートできなければならない。数年前には、音声及びデータは別々のネットワークを使用していたけれども、現在では、それらは同じリンクの帯域幅を共用している。最近の３年間に関しては、ＡＴＭ（非同期伝送モード）、フレーム・リレー等のような伝送モードを定義するために、及び特定な伝送モードの中で、ネットワーク・アプリケーションに提供されるサービスを詳細に指定するために、標準化を行うための組織体が活動している。ＡＴＭに関しては、例えば、次のような４つの異なるサービス・カテゴリが存在し、ユーザは必要とされるサービスのタイプに基づいてそれらの１つを選択するであろう。
【０００３】
（ａ）連続ビット・レート（ＣＢＲ）
このサービスは、未圧縮の音声及び最高優先順位のアプリケーション（ビデオ）に対して意図される。このサービスに対して支払うべき価格は最高である。それは、予約される帯域幅が、このタイプのアプリケーションが放出し得る最大レート（ピーク・セル・レート：ＰＣＲ）に対応するためである。これは、ネットワーク負荷条件がどのようなものであっても、最大セル転送遅延（ｍａｘＣＴＤ）及びピーク・ツー・ピーク・セル遅延変動（ｐｅａｋ  ｔｏ  ｐｅａｋ  ＣＤＶ）に関して、サービスの質が保証されなければならない時に割り振るべき帯域幅である。
【０００４】
（ｂ）可変ビット・レート（ＶＢＲ）
このサービスは、大量のリソースを必要とする連続ビット・レート（ＣＢＲ）と帯域幅の予約が行われないサービスとの間の妥協物である。ここでは、事実上、接続の持続可能セル・レート（ＳＣＲ）及び上記接続のピーク・セル・レート（ＰＣＲ）との間に構成される帯域幅が、次のように、トラフィックのバースト性に従って割り当てられる：
・  ネットワークにおいてアプリケーションにより作成されるバーストが制限される時、持続可能セル・レート（ＳＣＲ）に近い帯域幅が予約される。
・  アプリケーションによって誘起されたバーストが大きい（大きいかも知れない）時、ピーク・セル・レートに近い帯域幅が、リンク及びバッファの過負荷、並びにデータ廃棄を回避するために予約される。
【０００５】
ここで提供されるサービスはパケット又はセルの消失（セル消失率ＣＬＲ）が非常に低いことも保証するけれども、転送遅延及びセル遅延の変動がＣＢＲに対するものよりも更に重要である。ＶＢＲは、ＶＢＲ実時間（ビデオ及びデータＲＴアプリケーションに対する良好な候補）及びＶＢＲ非実時間（データ・センシティブなトラフィックに対する良好な候補）に分割可能である。
【０００６】
（ｃ）未指定ビット・レート（ＵＢＲ）
このサービスは全体的には制御されてない。トラフィックはネットワークにおいて送られ、そのネットワークが輻輳していないという条件で伝送される。ネットワークが輻輳している場合、セルは廃棄される。ＣＢＲ及びＶＢＲと違って、サービスの質は保証され得ない。
【０００７】
（ｄ）可用ビット・レート（ＡＢＲ）
このサービスは、再び、可変ビット・レート（ＶＢＲ）よりも低い質を提供し、種々のアプリケーションに対して使用可能である。アプリケーションに対して「最悪ケース」の動作を保証するために最小の予約が行われ得るけれども、提供されるサービスの定常状態の動作は、ネットワークにおいてほとんどリソースが割り振られないという「非予約済み」タイプのサービスに対応する。輻輳が生じる時、ネットワークを通してトラフィック・ソースにフィードバックが送られ、それらトラフィック・リソースが更にデータを送らないようにする。この反作用的なシステムの動作はネットワーク・サイズに直接リンクされる。輻輳情報をソースに返送するための遅延はネットワーク・サイズの関数で増加し、いずれにしても消失を誘起するであろう。この場合、エンド・ユーザはこのデータを再び送ることを決定する。ここでは、遅延も消失も保証され得ない。サービスは、消失を最小にするために受け入れられるだけである。
【０００８】
これらの種々の提案済みサービスはすべて、ほとんどのネットワークにおいて同時に使用されている。
【０００９】
Ｂ．帯域幅の最適化
ほとんどの広域ＡＴＭネットワーク（大きな国のワールドワイド・ネットワーク）は、ＡＴＭバックボーン・ネットワークが種々のＡＴＭアクセス・ネットワークの間のコミュニケーションをサポートし得るように構成される。そのようなネットワーク・トポロジは、良好なパフォーマンス及びネットワーク管理の最適化を可能にする。一般的には、バックボーン・ネットワークは公衆ＡＴＭネットワークであり、アクセス・ネットワークは私設ＡＴＭネットワークである。しかし、バックボーン・ネットワークは、例えば、通信事業者から借り受けた回線を使用する単一の専用ネットワークにおいて使用可能である。リソースがさらに要求される場合、それらのリソースを最適化するために、特に、バックボーン・ネットワークにおける帯域幅を最適化するために、次のような幾つかの解決方法が実現可能であり、それらはすべて、帯域幅の動的な使用可能度を考慮するものである：
【００１０】
１．データ・トラフィックのためのエンド・ツー・エンド可用ビット・レート仮想チャネル接続（ＡＢＲ  ＶＣＣ）
図５に示されるように、この解決方法は、すべてのエンド・システム（ノード１及び８）によるＡＢＲサービスをサポートするものと思われる。その利点は、中間のノード（ノード２乃至７）が、ＡＴＭフォーラム勧告（ＡＴＭフォーラム技術委員会の「トラフィック管理仕様（Traffic Management Specification）」、バージョン４.０、Ａｐｒｉｌ  ９６、パラグラフ５.１０.６、ルール１.ａ）に準拠するようにＡＴＭセルにおける明示的順方向輻輳表示（ＥＦＣＩ）ビットをセットするだけでよいということである。エンド・システム（ノード１及び８）は、特に次のような最も複雑なプロセスを行う：
・  ＡＢＲソース（ノード１）動作（これは次のものを含む）：
・  リソース管理セル（ＲＭセル）の生成
・  トラフィックにおけるＲＭセルの挿入
・  ＲＭセルから受け取った輻輳情報に基づくＶＣＣ当たりの伝送レートの計算
・  動的トラフィック整形
・  ＡＢＲ宛先（ノード８）動作（これは次のものを含む）：
・  順方向ＲＭセルに応答したソースへのＲＭセルの返送
・  ＲＭセルにおける輻輳フィールドの設定
・  トラフィックにおけるＲＭコードの挿入
【００１１】
中間ノードにおける可用ビット・レート（ＡＢＲ）サービス・カテゴリのさらに複雑な実施方法がＡＴＭフォーラム、パラグラフ５.１０.６、ルール１.ｃ において開示されている。いわゆる「スイッチ動作」は、キュー・ポイントにおける輻輳の制御、特に、輻輳に対する良好な応答のためにＲＭセルにおける明示的レート（ＥＲ）フィールドの修正、従って、低いセル消失を可能にする。
【００１２】
２．バックボーンにおける可用ビット・レート仮想パス接続（ＡＢＲ  ＶＰＣ）図６に示されるように、ＡＢＲ仮想パス接続（ＶＰＣ）は、アクセス・ネットワーク（アクセス・ネットワーク１及び２）を相互接続するためにバックボーン・ネットワークにおいて設定される。バックボーン・ネットワークに直接に接続されたアクセス・ネットワークにおけるノード（ノード２及び５）は、これらのＡＢＲ  ＶＰＣを使用してＶＣＣ（ＶＣＣ１、ＶＣＣ３）を搬送する。ＡＴＭフォーラム勧告（パラグラフ５.１０.９）に準拠するためには、これらのノードは、パラグラフ５.１０.４乃至５.１０.９に開示されているようなＡＢＲソース及び宛先動作を実施する。アクセス・ノード（ノード２及び５）は、更に、それらがサポートする種々の仮想チャネル接続（ＶＣＣ１、ＶＣＣ３）の間のこれらの仮想パス接続（ＶＰＣ）の帯域幅の公平な共用分（シェア）を提供することができなければならない。
【００１３】
ＡＢＲ仮想パス接続（ＶＰＣ）の確立は、次のように、複数のＶＣＣの集約、従って、バックボーン・ネットワークにおける帯域幅のより良好な管理を可能にする。
【００１４】
（ａ）ＶＣＣの集約
アクセス・ネットワークにおけるほとんどの仮想チャネル接続（ＶＣＣ）は大量の帯域幅を必要としないけれども、バックボーン・ネットワークを介した種々のアクセス・ネットワークの間のトラフィックは、それに関して、大きな帯域幅接続の定義を必要とする。仮想パス接続（ＶＰＣ）の使用は、帯域幅の利用を最適化するけれども、バックボーン・ネットワーク上に確立されなければならないＶＣＣの数をかなり制限する。一般に、応答時間は減少し、種々のポリーシング・プロセスにおける遅延を回避する。アクセス・ネットワークでは、ＣＢＲ、ＶＢＲ又はＡＢＲ／ＵＢＲ仮想チャネル接続（ＶＣＣ）が確立されるけれども、バックボーン・ネットワークは、通常、ＡＢＲ又はＣＢＲ  ＶＰＣを必要とする。これらの仮想パス接続は、バックボーン・ネットワークを通して、質の区別なく、如何なるカテゴリのサービスも搬送できなければならない。
【００１５】
（ｂ）帯域幅管理
種々の個々のＶＣＣ接続の間でＶＰＣの帯域幅を割り振るためにバックボーン／アクセス・ネットワークにおいて使用されるプロセスの質は、たとえ、バックボーン・ネットワーク内で、しかも同じ仮想パス接続（ＶＰＣ）において、すべてのタイプのトラフィックが混合されるとしても、高優先順位トラフィック（音声又はＣＢＲトラフィック）に対する短い遅延及び低優先順位トラフィック（データ又はＡＢＲ）のスムージングといったエンド・ツー・エンド・サービスのパフォーマンス全体を決定する。そのトラフィックを制御するためのプロセスの種々な機能は次のようなものである。
・  スムージング：  最大伝送レートを制御して仮想パス接続（ＶＰＣ）における仮想チャネル接続（ＶＣＣ）のトラフィックを送るために、整形機能が使用される。連続したセル相互間の遅延が、その流れの間隔をあけるために導入される。
・  キューイング：  その整形機能はトラフィックに、ノードを使用可能なレートよりも低いレートのままにさせておく。これは、そのノードにおいて更なるキューイングを誘起する。良好な実装は消失なくデータを記憶することを可能にする。
・  帯域幅割振り：  所与の仮想パス接続（ＶＰＣ）において、帯域幅が種々のＶＣＣ接続の間で割り振られる。種々のＶＣＣのサービスのカテゴリ（ＣＢＲ、ＶＢＲ、ＡＢＲ、ＵＢＲ等）を考慮して仮想パス接続（ＶＰＣ）の帯域幅を公平に割り振るためのルールが選択されなければならない。
【００１６】
可用ビット・レート（ＡＢＲ）サービス・カテゴリはＡＴＭフォーラムの仕様において定義され、効率的な帯域幅利用を提供するけれども、それの実装は次の点から見て重要なリソースを必要とする：
・  ＡＢＲ  ＶＰＣに沿ってＲＭセルを管理するための、及び帯域幅を連続的に（マイクロ秒又はミリ秒の単位における期間で）調節するための処理容量。
・  更なる帯域幅。１デフォルトにつき、３２セル毎に１ＲＭセルが生成される。それは、ＲＭセル・トラフィックに対して約３％の更なる帯域幅が使用されるだけであることを表す。
【００１７】
そこで、リソースを節約するために、ＡＢＲサービス・カテゴリよりも、同等の原理（ネットワーク使用可能度の動的帯域幅調節機能）に基づくが更に遅い反応時間（マイクロ秒の代わりに分又は秒）を特徴とする解決方法が選択される。
【００１８】
【発明が解決しようとする課題】
本発明の目的は、パケット又はセル交換ネットワークにおいて、現在のネットワーク・リソース予約に従って連続ビット・レート（ＣＢＲ）仮想パス接続（ＶＰＣ）の帯域幅を動的に調節することであり、更に詳しく云えば、音声コールが優先順位を有するバックボーンＡＴＭネットワークにおいて、帯域幅調節可能なＣＢＲ  ＶＰＣによって残りの帯域幅をデータ・トラフィックに動的に割り振ることである。その目的は、多数の音声コール、又は、もっと一般的に云えば、交換仮想接続（ＳＶＣ）が、これらの音声コールがリクエストされない時に帯域幅がデータ・トラフィック又は「恒久的仮想接続」とも称する相手固定接続（ＰＶＣ）によって使用されることを可能にすると共にそれらが受け入れられることを保証することである。
【００１９】
【課題を解決するための手段】
本発明は、伝送リンクと相互接続された複数のノードより成るパケット又はセル交換ネットワークにおいて、ソース・ノード及び宛先ノードの間に確立された連続ビット・レート仮想パス接続の帯域幅を動的に調節するための方法に係る。そのネットワークでは、ネットワーク・ノード及び伝送リンクに関する情報へのアクセスを有する帯域幅管理サーバが定義される。このサーバは、仮想パス接続又は仮想チャネル接続がネットワーク上に確立される度に、その接続のために予約された初期帯域幅に関する表示を通知される。このサーバは、連続的又は周期的モードで、伝送リンク上で使用可能である帯域幅を検出し、帯域幅調節可能な連続ビット・レート仮想パス接続の間でこの帯域幅を共用し、各接続に対して新しい帯域幅を決定する。ソース・ノードは、新しい帯域幅が計算される度に通知され、従って、それは、対応する帯域幅調節可能な連続ビット・レート仮想パス接続の帯域幅を調節する。
【００２０】
【発明の実施の形態】
Ａ．非同期転送モード（ＡＴＭ）
非同期転送モード（ＡＴＭ）は、データ伝送（コンピュータ）及びテレコミュニケーション（電話）の両方に対するテレコミュニケーション（通信事業会社）産業によって開発された新しいテレコミュニケーション・テクノロジである。これは、高速通信をエンド・ユーザに統合方式で提供するための搬送サービスと考えられる。ＡＴＭの主要なキー・コンセプトは次のようになる。
【００２１】
・  セル：  すべての情報（音声、イメージ、ビデオ、データ等）が「セル」と呼ばれる非常に短い一定の長さ（４８個のデータ・バイト及び５バイト・ヘッダ）のブロックとしてネットワークを介して搬送される。ＡＴＭセル・サイズは音声及びデータ要件の間の妥協物として定義された。
・  経路指定：  パス（「仮想チャネル」ＶＣと呼ばれる）に沿った情報の流れがネットワークを通して一連のポインタとして設定される。セル・ヘッダはセルがそれの宛先に向かって取るための正しいパスにそのセルをリンクする識別子を含む。特定の仮想チャネルにおけるセルはネットワークを介していつも同じパスを辿り、それらが受け取られる順序で宛先に配送される。
・  ハードウエア・ベースの交換：  ＡＴＭは、簡単なハードウエア・ベースの論理素子が交換を行うべく各ノードにおいて使用されるように設計される。
・  アダプテーション：  ネットワークの端部において、ユーザ・データ・フレームが分解されてセルになる。音声又はビデオのような連続したデータ・ストリームはアセンブルされてセルになる。ネットワークの宛先側では、ユーザ・データ・フレームが受信セルから再構成され、それらがネットワークに配送された形（データ・フレーク等）でエンド・ユーザに戻される。このアダプテーション機能はネットワークの一部であると考えられるが、ＡＴＭアダプテーション層（ＡＡＬ）と呼ばれる高度の層機能におけるものである。
・  エラー制御：  ＡＴＭセル交換ネットワークは、単にエラーに関してセル・ヘッダをチェックし、エラーのあるセルを廃棄するだけである。
・  フロー制御：  ＡＴＭネットワークは如何なる種類の内部フロー制御も持たない。その代わり、ＡＴＭは、ネットワークに配送されるトラフィックのレートを制限する一組の入力レート制御機構を有する。
・  輻輳制御：  リンク又はノードが輻輳した時にＡＴＭネットワークが行うことができる唯一のことは、問題が解決されてしまうまでセルが廃棄されることである。或る（低優先順位の）セルは、それらが輻輳の場合に最初に廃棄されるべきものであるようにマーク可能である。セルが廃棄された時、接続の末端は通知されない。セルの消失を検出し、その消失から回復すること（それが必要であり且つ可能である場合）は、アダプテーション機能又はより高い層のプロトコルにまで及ぶ。
【００２２】
ＡＴＭに関する更なる情報は、１９９５年１０月にＩＢＭインターナショナル・テクニカル・サポート・センタが発行した「非同期転送モード・ボード・バンドＩＳＤＮ技術概要（Asynchronous Transfer Mode Broad band ISDN Technical Overview）」と題した文献（フォーム番号ＳＧ２４−４６２５−００）において見ることができる。
【００２３】
Ｂ．ＡＴＭネットワークの構造
図１には、ＡＴＭネットワークの概念的構造が示される。
・ＡＴＭネットワーク：  図１は、３つの全く別個のＡＴＭネットワーク、即ち、２つの私設ＡＴＭネットワーク及び１つの公衆ＡＴＭネットワークを示す。私設ＡＴＭネットワークは、時には、「顧客宅内ネットワーク」と呼ばれることがある。
・ＡＴＭ交換機：  図１では、４つの「ＡＴＭ交換機」又は「ＡＴＭノード」が示される。これらはＡＴＭネットワークによるバックボーン・データ搬送を遂行する。
・ＡＴＭエンド・ポイント：  ＡＴＭエンド・ポイントは、本来の方法でＡＴＭネットワークにインターフェースする１台のエンド・ユーザ機器である。エンド・ポイントは、ＡＴＭ標準によって定義されたリンク接続を介してＡＴＭセルを送信及び受信する。エンド・ポイント（しかも、エンド・ポイントだけ）がＡＴＭアダプテーション層（ＡＡＬ）機能を含む。ＡＴＭエンド・ポイントは、ユーザ・ネットワーク・インターフェース（ＵＮＩ）を介してＡＴＭネットワークに接続する。
・ユーザ・ネットワーク・インターフェース（ＵＮＩ）：  ＵＮＩは適用可能な標準によって正確に指定される。公衆ＵＮＩは、エンド・ユーザ機器を公衆ＡＴＭネットワークに接続するためのものである。私設ＵＮＩは、単一組織の宅内において使用するためのもの又はＰＴＴのような通信事業会社からリースされた回線を使用する私設ネットワークのためのものである。
・ネットワーク・ノード・インターフェース（ＮＮＩ）：  これは、２つのネットワーク・ノード（ＮＮ）相互間のトランク接続である。ＮＮＩは異なるＡＴＭノードの接続を可能にする。
・リンク：  それらは、ノード相互間の１つ又は複数の物理的リンク接続であってもよい。ノード相互間のリンクは、直接ポイント・ツー・ポイント接続を介するような「クリア・チャネル」として扱われるが、ＳＯＮＥＴ／ＳＤＨ接続を介して又はＰＤＨ接続を介して扱われてもよい。
・ＡＴＭアダプテーション層：  ＡＴＭネットワークのエンド・ユーザは次のような２つの種類のものであろう
・  公衆ＵＮＩ又は私設ＵＮＩを介して直接にＡＴＭネットワークにインターフェースするもの
・  ＡＴＭに関して何も知らず、非ＡＴＭプロトコル（フレーム・リレーのような）を使用してインターフェースするもの
【００２４】
すべてのタイプのユーザに関して、ＡＴＭネットワークに接続するために遂行されなければならない共通のタスクが存在する。それの定義では、ＡＴＭはこれらの共通タスクに対する処理を含む。これはＡＴＭアダプテーション層（ＡＡＬ）と呼ばれる。ＡＡＬはＡＴＭに対する実エンド・ユーザ・インターフェースである。
【００２５】
Ｃ．仮想チャネル及び仮想ルート
ＡＴＭにおける基本的な概念の１つは、ネットワークを通してデータがどのように経路指定されるかということに関するものである。図２は次のようなこれらの概念を示す。
【００２６】
・仮想パス：  図２に示されるように、ＶＰはネットワークを通したルートであり、仮想チャネル（ＶＣ）のグループを表す。ＶＰは、次のものの間に存在し得る。
・ＡＴＭエンド・ポイント（ＣＰＮ１及びＣＰＮ２の間、並びに、ＣＰＮ２及びＣＰＮ３の間のような）
・ＡＴＭノード及びＡＴＭエンド・ポイント（ＮＮ１及びＣＰＮ１の間、ＮＮ１及びＣＰＮ２の間、並びに、ＮＮ２及びＣＰＮ３の間のような）
・ＡＴＭノード（ＮＮ１及びＮＮ２の間のような）
ＶＰはＶＰ番号に対する参照のみによってＡＴＭノードを通して経路指定可能であり、或いは、それはＡＴＭノードにおいて終了し得る。エンド・ポイントに入るＶＰはいつもそのエンド・ポイントにおいて終了する。仮想パス（ＶＰ）及び仮想パス接続（ＶＰＣ）の概念は本願の説明では同じであると見なされる。
・仮想チャネル（ＶＣ）：  仮想チャネルの概念は、エンド・ユーザ相互間の単一方向の接続としてＡＴＭにおいて定義される。
・仮想チャネル接続（ＶＣＣ）：  仮想チャネル接続はエンド・ツー・エンド接続であり、その接続に沿ってユーザがデータを送る。ＶＣＣは単方向であるように定義されるけれども、ＶＣＣは、いつもペアで、即ち、各方向において１つのＶＣＣというようなペアで生じることに注意すべきである。従って、双方向通信チャネルは一対のＶＣＣ（ネットワークを介して同じ物理的パスをフォローしなければならない）より成る。ＶＣ及びＶＣＣの概念はほとんど同じである。略号ＶＣは一般的な状況において、及びＶＣＣはもっと特殊な方法で、最も頻繁に使用される。
・仮想チャネルリンク（ＶＣＬ）：  仮想チャネル・リンクはリンク又は仮想パスにおける別々に識別されたデータ・フローである。ネットワークを介した仮想チャネル接続（ＶＣＣ）は、一連の相互接続された（従属連結された）ＶＣＬである。
【００２７】
図３において、リンク、ＶＰ及びＶＣの間の関係が要約される。
・リンク内のＶＰ：  各リンクには、多数のＶＰが存在する。その最大数は、ＡＴＭセル・ヘッダにおけるビット割り振りされた仮想パス識別子（ＶＰＩ）の割り振られたビットの数によって定義される。
・ＶＰ内のＶＣ：  各ＶＰはそれの中に複数のＶＣを有する。その最大数は、セルヘッダ内の仮想チャネル識別子（ＶＣＩ）に割り振られたビットの数によって制限される。
【００２８】
ＡＴＭのアーキテクチャに関する限り、各リンクはすべての可能なＶＰを持ってもよく、各ＶＰはその中にすべての可能なＶＣを持ってもよい。
【００２９】
各仮想接続は、それと関連した所与の「サービスの質（ＱｏＳ）」特性を有する。このサービスの質は平均的な帯域幅並びに最大ピークの（瞬間的な）許された帯域幅を指定する。深刻な過負荷の状況では、低優先順位としてマークされたセルだけを廃棄することによってもネットワークが過負荷から回復することができない時、そのネットワークは、ＶＣにおける「サービスの質」特性に従ってどのセルを廃棄すべきかを選択することができる。又、ＶＰはそれと関連したサービスの質を有する。ＶＰ内のＶＣはＶＰよりも低いサービスの質を有するが、それらはもっと高いサービスの質を持つことはできない。
【００３０】
Ｄ．ＡＴＭサービス
ＡＴＭ（非同期転送モード）テクノロジは、広範な種類のサービス及びアプリケーションをサポートすることを意図するものである。ＡＴＭネットワーク・トラフィックの制御は、基本的には、ネットワーク・アプリケーションに対する適切に弁別された質のサービスを提供するというそのネットワークの能力に関連する。ＡＴＭ仕様は、トラフィック管理及びサービスの質に関連したプロシージャ及びパラメータを定義する。トラフィック管理の主たる役割は、ネットワーク・パフォーマンスの目的を達成するために輻輳からネットワーク及びエンド・システムを保護することである。更なる役割は、ネットワーク・リソースの効率的な使用を促進することである。
【００３１】
５個のサービス・カテゴリのセットが指定される。ネットワークに与えられたトラフィック及びネットワークに関して必要とされるサービスの質の両方を説明するために、各カテゴリに対して一組のパラメータが与えられる。ネットワークがサービスの質の目的に適合するために利用し得る多数のトラフィック制御機構が定義される。
【００３２】
１９９６年４月発行のＡＴＭフォーラム「トラフィック管理仕様（Traffic Management Specification）」バージョン４.０に記述されているように、ＡＴＭ層において提供されるサービスに対するアーキテクチャは次のようなサービス・カテゴリより成る：
・  ＣＢＲ：  一定ビット・レート（前述の「連続ビット・レート」と同じ）
・  ＶＢＲ：  実時間／非実時間可変ビット・レート
・  ＵＢＲ：  未指定ビット・レート
・  ＡＢＲ：  可用ビット・レート
【００３３】
これらのサービス・カテゴリはトラフィック特性及びサービスの質の要件をネットワーク動作に関連付ける。経路指定、接続許可制御（ＣＡＣ）、及びリソース割り振りのような機能は、一般に、各サービス・カテゴリに対して異なって構造化される。サービス・カテゴリは、実時間（ＣＢＲ及びＲＴ−ＶＢＲ）又は非実時間（ＮＲＴ−ＶＢＲ、ＵＢＲ、ＡＢＲ）であるものとして区別される。実時間トラフィックに関して、２つのカテゴリ、即ち、ＣＢＲ及び実時間ＶＢＲがあり、それらはトラフィック・デスクリプタがピーク・セル・レート（ＰＣＲ）だけを含むか又はＰＣＲ及び持続可能なセル・レート（ＳＣＲ）の両方を含むかによって区別される。すべてのサービス・カテゴリが仮想チャネル接続（ＶＣＣ）及び仮想パス接続（ＶＰＣ）の両方に適用する。この説明を通して、用語「接続」はＶＣＣ又はＶＰＣのいずれかを指す。
【００３４】
ＡＴＭ層のサービスの質（ＱｏＳ）は、ＡＴＭ層接続の遂行を特徴とする次のような一組のパラメータによって測定される。
１．ピーク・ツー・ピーク・セル遅延変動（ｐｅａｋ  ｔｏ  ｐｅａｋ  ＣＤＶ）
２．最大セル転送遅延（ｍａｘＣＴＤ）
３．セル消失率（ＣＬＲ）
【００３５】
これらのサービスの質パラメータは、ＡＴＭ層におけるエンド・ツー・エンド・ネットワーク・パフォーマンスを定量化する。サービス・パラメータの質がセル・フローに適用する方法によって区別される１つ又は複数のパフォーマンスの定義を、次のようなサービス・カテゴリの各々が有する。
【００３６】
・  一定ビット・レート（ＣＢＲ）サービス
一定ビット・レート・サービス・カテゴリは、接続のライフタイムの間に連続して得られる帯域幅の静的な量をリクエストする接続によって使用される。この帯域幅の量はピーク・セル・レート（ＰＣＲ）値によって特徴付けられる。
ＣＢＲ機能を介してリソースを予約するユーザに対しネットワークによって行われる基本的なコミットメントは、一旦その接続が確立されると、すべてのセルが関連の適合性試験に適合する時、折衝ＡＴＭ層のサービスの質がすべてのセルに対して保証されるということである。ＣＢＲ機能では、ソースが任意の時間に且つ任意の期間の間にピーク・セル・レートでセルを放出することができ、しかもサービスの質は依然として適している。
ＣＢＲサービスは厳しく抑制された遅延変動を必要とする実時間アプリケーション（例えば、音声、ビデオ、回路エミュレーション）をサポートすることを意図されるが、これらのアプリケーションに限定されない。ＣＢＲ機能では、ソースは、或る期間の間、セルを折衝ピーク・セル・レートで又はそれ以下で放出することができる（及び、無音であることさえある）。最大セル転送遅延（ｍａｘＣＴＤ）によって指定された値を超えて遅延したセルは、アプリケーションに対して値を大きく減少していると仮定される。
ＣＢＲサービス・カテゴリは、ＶＰＣ（仮想パス接続）及びＶＣＣ（仮想チャネル接続）の両方に対して使用可能である。
【００３７】
・  実時間可変ビット・レート（ＲＴ−ＶＢＲ）サービス
実時間ＶＢＲサービス・カテゴリは、音声及びビデオ・アプリケーションに対して適切であるので、実時間アプリケーション、即ち、厳しく抑制された遅延及び遅延変動を必要とするアプリケーションに対して意図される。ＲＴーＶＢＲ接続は、ピーク・セル・レート（ＰＣＲ）、持続可能セル・レート（ＳＣＲ）、及び最大バースト・サイズ（ＭＢＳ）によって特徴付けられる。ソースは、時間と共に変化するレートで伝送することを期待される。同様に、ソースは「バースト性」として説明可能である。ｍａｘＣＴＤによって指定された値を超えて遅延するセルは、アプリケーションに対してかなり減少した値のものであると仮定する。実時間ＶＢＲサービスは、実時間ソースの統計的マルチプレキシングをサポートすることが可能である。
【００３８】
・  非実時間可変ビット・レート（ＮＲＴ−ＶＢＲ）サービス
非実時間ＶＢＲサービス・カテゴリは、バースト性トラフィック特性を有し、ピーク・セル・レート（ＰＣＲ）、持続可能セル・レート（ＳＣＲ）、及び最大バースト・サイズ（ＭＢＳ）によって特徴付けられる非実時間アプリケーションに対して意図される。トラフィック契約内で転送されるセルに対して、アプリケーションは低いセル消失率を期待する。非実時間ＶＢＲサービスは、接続に関する統計的マルチプレキシングをサポートし得る。このサービス・カテゴリと関連した遅延バウンドはない。
【００３９】
・  未指定ビット・レート（ＵＢＲ）サービス
未指定ビット・レート（ＵＢＲ）サービス・カテゴリは、非実時間アプリケーション、即ち、厳しく抑制された遅延及び遅延変動を必要としないアプリケーションに対して意図される。そのようなアプリケーションの例は、ファイル転送及び電子メールのような伝統的なコンピュータ通信アプリケーションである。
ＵＢＲサービスはトラフィック関連のサービス保証を指定しない。ＵＢＲ接続によって経験されるセル消失率（ＣＬＲ）に関して、或いはその接続上のセルによって経験されるセル転送遅延（ＣＴＤ）に関して数字的なコミットメントは行われない。ネットワークは、ピーク・セル・レートを接続許可制御（ＣＡＣ）及び使用パラメータ制御（ＵＰＣ）機能に適用してもよいし、適用しなくてもよい。ネットワークがピーク・セル・レート（ＰＣＲ）を強制しない場合、ピーク・セル・レートの値は単に情報を提供するためのものである。ピーク・セル・レートが強制されない時、これは、ソースが接続のパスに沿った最小の帯域幅制限を見つけることを可能にするので、ピーク・セル・レート（ＰＣＲ）を折衝させることは依然として有用である。ＵＢＲに対する輻輳制御は、エンド・ツー・エンドを基準にして高い層において行われる。ＵＢＲサービスは、ＡＴＭユーザ・セル・レート情報エレメントにおけるベストエフォート・インディケータの使用によって表される。
【００４０】
・  可用ビット・レート（ＡＢＲ）サービス
ＡＢＲは、ネットワークによって与えられた制限付きＡＴＭ層転送特性が接続確立の後に変化し得るＡＴＭ層サービス・カテゴリである。ＡＴＭ層転送特性の変化に応答してソース・レートを制御するように、フロー制御機構が幾つかのタイプのフィードバックをサポートする。このフィードバックは、リソース管理セル又はＲＭセルと呼ばれる特定の制御セルを通してソースに送られる。フィードバックに従ってトラフィックに適応するエンド・システムが低いセル消失率を体験し、ネットワーク特有の割振りポリシに従って使用可能な帯域幅の公平な共用分を得るであろうということが期待される。ＡＢＲサービスは、所与の接続に従って体験される遅延のバウンディング又は遅延変動を必要としない。ＡＢＲサービスは実時間アプリケーションをサポートすることを意図するものではない。
ＡＢＲ接続の確立時に、エンド・システムは、最大の必要な帯域幅及び最小の使用可能帯域幅の両方をネットワークに対して指定するであろう。これらは、それぞれ、ピーク・セル・レート（ＰＣＲ）及び最小セル・レート（ＭＣＲ）として指定されるであろう。ＭＣＲはゼロとして指定されてもよい。ネットワークから得られる帯域幅は変化してもよいが、最小セル・レート（ＭＣＲ）よりも小さくならないであろう。
【００４１】
Ｅ．一般的な制御機能
ＡＴＭネットワークにおけるトラフィック及び輻輳を管理及び制御するための次のような機能が定義される。これらの機能は、サービス・カテゴリに従って適当な組合せで使用可能である。
【００４２】
・  接続許可制御（ＣＡＣ）：  これは、接続リクエストが受け付け可能であるか又は拒否されるべきであるか（或いは、割振りに対するリクエストが適応され得るかどうか）を決定するために、コール設定フェーズ中にネットワークによって取られるアクションのセットとして定義される。サービス・カテゴリ、トラフィック契約、及びサービスの質に基づいて、しかも既存の接続に関する同意されたサービスの質を維持するために、ネットワーク全体を通して接続を確立するに十分なリソースが各連続したネットワーク・エレメントにおいて利用可能である時だけ、接続リクエストがＣＡＣ機能に基づいて進められる。
・  フィードバック制御：  これは、ネットワークの状態に従ってＡＴＭ接続上に与えられたトラフィックを調整するためにネットワークによって及びエンド・システムによって取られるアクションのセットとして定義される。
・  使用パラメータ制御（ＵＰＣ）：これは、エンド・システムのアクセス時に、提供されたトラフィック及びＡＴＭ接続の有効性によって、トラフィックを監視及び制御するためにネットワークによって取られるアクションのセットとして定義される。
・  トラフィック整形：  これは、トラフィック特性に関する所望の修正を得るために使用可能である。トラフィック整形は、サービスの質の目的に適合すると共により良好な効率を得るために、又はその後のインターフェースにおける適合を保証するために、接続におけるセルのストリームのトラフィック特性を変更する機構である。トラフィック整形の例は、ピーク・セル・レートの減少、バースト長の制限、セルを時間的に適当な間隔にすることによるセル遅延変動（ＣＤＶ）の減少、及びセル・スケジューリング・ポリシである。
・明示的な順方向輻輳表示（ＥＦＣＩ）：  これは、この表示が宛先エンド・システムによって調べられるように、セル・ヘッダにおける切迫した輻輳状態又は輻輳状態においてネットワーク・エレメントによりセット可能である。例えば、エンド・システムはこの表示を使用して、輻輳中に又は切迫した輻輳中に適応性を持って接続のセル・レートを下げるプロトコルを実装する。輻輳状態又は切迫した輻輳状態にないネットワーク・エレメントはこの表示の値を修正しないであろう。切迫した輻輳状態は、ネットワーク・エレメントがそれの設計された容量レベル付近で動作している時の状態である。
・  ＡＢＲフロー制御プロトコル：  これは、適応性を持って参加ユーザの間で使用可能な帯域幅を共用するために使用可能である。ＡＢＲサービスでは、ソースはそれのレートを変更条件に適応させる。帯域幅使用可能度、輻輳の状態、及び切迫した輻輳のようなネットワークの状態に関する情報がリソース管理セル（ＲＭセル）と呼ばれる特別の制御セルを通してソースに送られる。
・  その他
【００４３】
Ｆ．可用ビット・レート・サービス・カテゴリ（ＡＢＲ）
（ａ）サービス保証の性質
ＡＢＲサービス・カテゴリは、指定された参照動作に従属するエンド・ステーションを持った接続に対して低いセル消失率を提供する。セル転送遅延に関する数値的なコミットメントは行われない。エンド・ポイントが参照動作を監視できなかった場合、セル消失率は保証されない。接続相互間の公平性が仮定され、ＭＣＲ（最小セル・レート）、ネットワーク・エレメントにおけるローカル・ポリシ、及び潜在的に重要なエラー期間によって修正される。
【００４４】
（ｂ）機構
ＡＢＲサービスは、本来、閉じたループである。ソースは、ネットワークから受けたフィードバックに基づいて動的なトラフィック整形を行う。この動作は、使用パラメータ制御（ＵＰＣ）を使用してネットワークにより強制される。最小セル・レート（ＭＣＲ）が折衝される。ＭＣＲが非ゼロである場合、フィードバックが可用セル・レートをＭＣＲよりも下にさせないこと及び低いセル消失率（ＣＬＲ）が得られることを保証するために、リソースがネットワーク・ノードにおいて予約されることが仮定される。従って、接続許可制御（ＣＡＣ）がネットワークにおいて提供される。ネットワーク・エレメントにおけるローカル・ポリシは、ソース動作に従属する接続に対して低いセル消失率（ＣＬＲ）を得るという目的により公平性及び隔離に寄与する。
【００４５】
（ｃ）フロー制御モデル
ＡＢＲフロー制御は送信エンド・システム（ソース）及び受信エンド・システム（宛先）の間で生じる。ソース及び宛先は双方向性の接続を介して接続される。双方向性のＡＢＲ接続に対して、各接続終了ポイントはソース及び宛先の両方である。簡単にするために、関連のリソース管理セル（ＲＭセル）フローを持ったソースから宛先への情報のフローだけを考察することにする。順方向はソースから宛先への方向であり、逆方向は宛先からソースへの方向である。図４に示されるように、ソース（Ｓ）から宛先（Ｄ）への順方向情報フローに対して、２つのＲＭセル・フロー、即ち、順方向における１つ及び逆方向における１つより成る制御ループが存在する。ソース（Ｓ）は順方向セルを発生し、そのセルは宛先（Ｄ）によって方向転換され、逆方向ＲＭセルとしてソースに返送される。これらの逆方向ＲＭセルは、ネットワーク・エレメント（ＮＥ）及び／又は宛先によって与えられたフィードバック情報をソースに送り戻す。ネットワーク・エレメント／ノード（ＮＥ）は次のように動作し得る：
・ＲＭセルが順方向又は逆方向に進む時、フィードバック制御情報をＲＭセルに直接に挿入する。
・順方向のセルのデータ・セル・ヘッダにおいてＥＦＣＩビットをセットすることによって輻輳に関するソースを間接的に知らせる。この場合、宛先はこの輻輳情報に基づいて逆方向ＲＭセルを更新するであろう。
・逆方向ＲＭセルを発生する。
【００４６】
Ｇ．ＲＭセル・フィールド
リソース管理セルは、更に詳しく云えば、次のようなフィールドを含む、
・ヘッダ：  標準のＡＴＭヘッダ
・ＩＤ：  プロトコルＩＤはＲＭセルを使用するサービスを識別する。
・メッセージ・タイプ：
・ＤＩＲ：  ＤＩＲ（方向）フィールドは、ＲＭセルに関連するデータ・フローの方向が順方向であるか又は逆方向であるかを表す。
・ＢＮ：  ＢＮフィールドは、ＲＭセルが逆方向明示輻輳通知（ＢＥＣＮ）セルであるか否かを表す。
・ＣＩ：  ＣＩ（輻輳表示）フィールドは、ネットワークに輻輳があることをネットワーク・エレメントが表すことを可能にする。
・ＮＩ：  ＮＩ（増加なし）フィールドは、ソースがそれの許容可能なセル・レート（ＡＣＲ）を増加させないために使用される。
・ＥＲ：  ＥＲ（明示レート）フィールドはソースＡＣＲ（許容されたセル・レート）を特定の値に制限するために使用される。各ＲＭセルに対して、ＥＲはリクエストされたレート（ＰＣＲ：ピーク・セル・レートのような）にソースによってセットされる。それは、その後、パスにおける任意のネットワーク・エレメントによって、そのエレメントが持続することのできる値まで減少することが可能である。
・ＣＣＲ：  ＣＣＲ（現セル・レート）フィールドはそれの現在のＡＣＲにソースによってセットされる。
・ＭＣＲ：  ＭＣＲ（最小セル・レート）フィールドは接続の最小セル・レートを保持する。それは、接続相互間で帯域幅を許容する場合、ネットワーク・エレメントに有用であることがある。
【００４７】
Ｈ．バックボーン及びアクセス・ネットワーク
図１７は、１つのＡＴＭバックボーン・ネットワーク及び複数のＡＴＭアクセス・ネットワーク（アクセス・ネットワーク１、２、３、４、５）を含むＡＴＭネットワークの概要図である。各ＡＴＭアクセス・ネットワークは１つ又は複数のソース・ノード（ノード１）及び／又は１つ又は複数のエンド・ユーザ（ユーザ１、２）に接続された宛先ノード（ノード８）を含む。一般に、ＡＴＭアクセス・ネットワークは「顧客宅内ネットワーク」と呼ばれる私設ＡＴＭネットワークであり、実際に、それらはビルディング又は学校のようなローカル・エリアに制限されることが非常に多い。しかし、私設のＡＴＭネットワークは、ＡＴＭノード相互間の搬送波（非ＡＴＭ）リンクの使用により広範なエリアにわたって分配可能である。ＡＴＭバックボーン・ネットワークは、一般には、公衆ＡＴＭネットワークであるが、ＰＴＴのような通信会社からリースされた回線を使用する私設ＡＴＭネットワークの一部であってもよい。
【００４８】
図９は、本発明に従って、バックボーン・ネットワーク並びにソース及び宛先アクセス・ネットワークを介した仮想パス接続及び仮想チャネル接続の確立を示す。ユーザ１がユーザ２とコミュニケートすることを望んでいる時：
・  ユーザ１からノード２への仮想チャネル接続（ＶＣＣ１）が確立される。
・  バックボーン・ネットワークにおけるアクセス・ノード２及びアクセス・ノード５の間に、仮想パス接続（ＶＰＣ）が確立される。この仮想パス接続（ＶＰＣ）は、エンド・ユーザ１のトラフィックを他の幾つかのエンド・ユーザのトラフィック（ＶＣＣ３等）と共にノード５まで伝送する。
・  ノード５では、トラフィックがそれの宛先に従って区別される。エンド・ユーザ１によって発生されたトラフィックはノード５から仮想チャネル接続ＶＣＣ２を介してエンド・ユーザ２に伝送される。
【００４９】
Ｉ．可用ビット・レート仮想パス接続（ＡＢＲ  ＶＰＣ）
図１０は、バックボーン・ネットワークにおいて設定されたＡＢＰ  ＶＰＣに関連してＲＭセルを使用して、ＡＴＭアクセス・ネットワーク及びＡＴＭバックボーン・ネットワークがコミュニケートする方法を示す。
【００５０】
１．可用ビット・レート仮想パス接続（ＡＢＲ  ＶＰＣ）がソース・アクセス・ネットワーク（アクセス・ネットワーク１）のエンド・ノード（ノード２）と宛先アクセス・ネットワーク（アクセス・ネットワーク２）のエンド・ノード（ノード５）との間に設定される。
【００５１】
２．ＡＢＲ  ＶＰＣのオリジナル・ノード（ノード２：ＡＴＭアクセス・ネットワークのエンド・ノード）がリソース管理セル（ＲＭセル）を発生し、それらを宛先アクセス・ネットワークの第１ノード（ノード５）に送る。
【００５２】
３．このアクセス・ノード（ノード５）はＲＭセルを方向転換し、それらをオリジナル・ノード（ノード２）へ逆方向ＲＭセルとして返送する。ＡＴＭバックボーンにおける連続したノードは、ＡＢＲ  ＶＰＣに対する利用可能な／許容された帯域幅／レートに関する情報でもってそのＲＭセルを更新する。そこで、ＲＭセルはそのアクセス・ネットワーク及びバックボーン・ネットワークの間にフロー制御インターフェースを設けるために使用される。
【００５３】
ＲＭセルが、新しい帯域幅の通知と共にＡＢＲ  ＶＰＣのオリジナル・ノード（ノード２）によって受信される場合、ネットワークの新しい使用可能度に従ってトラフィックが調節されるであろう：
・  帯域幅の減少が通知される場合、トラフィック・ソースはＡＢＲ仮想パス接続（ＶＰＣ）のオリジナル・ノード（ノード２）におけるセル消失を回避するためにそれらのトラフィックを制限しなければならないであろう。
・  帯域幅の増加が通知される場合、トラフィック・ソースは、更に多くのトラフィックを発生することが可能であることを知らされるであろう。
【００５４】
Ｊ．帯域幅調節可能な連続ビット・レート仮想パス接続（ＣＢＲ  ＶＰＣ）
図１６は、バックボーン・ネットワークにおける伝送リンク上のトラフィックを示す。なお、そのバックボーン・ネットワークでは、音声トラフィック（又は、更に一般的には、ＳＶＣ、即ち、交換仮想接続）が、アクセス・ネットワークから発生されたデータ・トラフィック（又は、更に一般的には、ＰＶＣ、即ち、恒久的仮想接続）よりも上の優先順位を有する。更に詳しく云えば、そのバックボーン・ネットワークでは、或る数の音声接続（ＳＶＣ）の確立が保証され、一方、これらの音声接続がリクエストされない場合、リンク上の残りの帯域幅がデータ・トラフィック（ＰＶＣ）によって使用されることを可能にする。
【００５５】
説明を簡単にするために、ＳＶＣは音声トラフィックに専用であり、一方、ＰＶＣはデータ・トラフィックのために使用されるものと見なされた。勿論、これは、ＳＶＣコールが恒久的仮想接続（ＰＶＣ）を介して音声を搬送しようとも或いはデータを搬送しようとも、そのＳＶＣコールに優先順位を与えるように汎用化可能である。
【００５６】
バックボーン・ネットワーク設計は、最小の帯域幅がピーク時間の間データ・トラフィックに対して残されるようなものであると考えられる。一旦音声負荷が減少すると、更なる帯域幅がデータ・トラフィック（ＰＶＣ）に対して表明される。図１６は、得られたものに関する図形的な例を示す。更に詳しく云えば、図１６は、データ・トラフィックにとって使用可能である帯域幅を示す。この帯域幅は音声トラフィックに従って変化する。
【００５７】
音声及びデータが混合される伝送リンクにおけるバックボーン・ネットワークでは、使用可能な帯域幅は、所与の期間内に確立及び切断される音声接続（ＳＶＣ）の数に従って変動する。実際には、バックボーン音声負荷はゆっくりと変動し、音声接続の確立及び切断を連続的に（或いは、Ｘマイクロ秒毎に又はＸミリ秒毎に）追跡する必要はない。１０秒毎に帯域幅を適合させることができる遅い機構が十分である。従って、ＡＴＭアクセス・ネットワークから発生されたデータ及び音声トラフィックを搬送するＡＴＭバックボーン・ネットワークでは、そのバックボーン・ネットワークに連続ビット・レート仮想パス接続（ＣＢＲ  ＶＰＣ）を形成すること及びバックボーン音声トラフィックに従ってそれらの帯域幅をゆっくり修正することが可能である：
・  バックボーン・ネットワークにおける音声トラフィックが増加する場合、データＣＢＲ  ＶＰＣに割り振られた帯域幅は減少するであろう。
・  バックボーン・ネットワークにおける音声トラフィックが減少する場合、更なる帯域幅がデータＣＢＲ  ＶＰＣにとって使用可能になるであろう。
【００５８】
図７は、ノード２及び５がそれぞれノード３及び４を通してバックボーン・ネットワークとインターフェースする２つのアクセス・ノードである場合のそのようなＡＴＭネットワークの概要図である。ＰＢＸ１、２、３、４はバックボーン・ネットワークを直接に（ＰＢＸ１、２、及び３）又はアクセス・ノードを通して（ノード５を使用するＰＢＸ４）アクセスする。トラフィック・ソース（ユーザ１及びユーザ２）は恒久的仮想接続（ＰＶＣ）を介してＡＴＭネットワークに接続され、アクセス・ノード２及び５を使用してバックボーン・ネットワーク上に接続が確立される。ノード２及び５は単一の仮想パス接続（ＶＰＣ）によって接続され、仮想チャネル接続ＶＣＣ１及びＶＣＣ３のトラフィックがこのＶＰＣを通して搬送される。この例では、ＣＢＲ  ＶＰＣはノード２及び３の間、ノード３及び９の間、及びノード４及び５の間のリンクのリソースを使用しようとする。ノード３及び９の間のリンクを使用してＰＢＸ１及びＰＢＸ３の間に音声接続（ＳＶＣ）を設定する場合、この音声トラフィック（ＳＶＣ）とノード２及びノード５の間の仮想パス接続（ＶＰＣ）との間でこのリンクにおいて競合が存在するであろう。音声が最高の優先順位を有する場合、新しい音声接続（ＳＶＣ）の確立を受け入れるために使用可能な帯域幅がいつも存在することを確認することが重要である。これは次のことを意味する：
・  リンクにおいて十分な帯域幅が得られない場合のＣＢＲ  ＶＰＣ（ＰＶＣをサポートする）に割り振られた帯域幅の減少、
・  リンクにおける使用可能な帯域幅が多すぎる場合のＣＢＲ  ＶＰＣ（ＰＶＣをサポートする）に割り振られた帯域幅の増加。
【００５９】
エンド・ツー・エンド・サービスを提供するためには、各ＣＢＲ仮想パス接続（ＶＰＣ）に割り振られた帯域幅を決定するＡＴＭバックボーン・ネットワークと、送信エンド・システム（ソース・ノード）からＡＴＭバックボーン・ネットワークまでトラフィックを搬送するＡＴＭアクセス・ネットワークとの間に良好な「フロー制御」インターフェースを設けることが必要である。所与の仮想パス接続（ＶＰＣ）に対するバックボーン・ネットワークにおける帯域幅に関する情報が、トラフィック・ソース（ユーザ１）の伝送レートを増加又は減少させるためにバックボーン・ネットワークへのアクセスを有するノード（ノード２及び５）によって使用される。
【００６０】
ａ．バックボーン・トポロジ
（１）トポロジ・サービス
トポロジ・サービスは、すべてのバックボーン・ノードにおける論理的及び物理的バックボーン・ネットワークに関する情報（リンク利用情報を含む）を分配及び維持するために使用される。望ましい実施例（ＩＢＭ社のＮＢＢＳアーキテクチャ参照）では、情報、特に、帯域幅の利用及び予約が収集され、そして、制御スパニング・ツリーのために各バックボーン・ネットワーク・ノードに周期的に分配される。各ノードは、ノード、リンク、それらの特性、並びに帯域幅の利用及び割振りに関する情報をそれ自身のトポロジ・データベース（ＴＤＢ）に記憶する。トポロジ情報は各バックボーン・ノードにおいて複製される。リンク及びノードが追加又は削除される時、又はそれらの特性が変化する時、アルゴリズムが各ノードのトポロジ・データベースの正確さを保証する。
【００６１】
（２）制御スパニング・ツリー
制御スパニング・ツリーは、ネットワークにおいて物理的に接続されたすべてのノードを結合する論理的構造である。それは、すべてのノードまで行かなければならない情報が非常に素早く且つ効率的に送られることを可能にする。それは、トポロジ・サービスによって動的に維持される。スパニング・ツリーは次のような理由で使用される：
・  リンク利用を含む制御情報を（並列的に）分配するため、及び
・  新しいネットワーク構成或いはリンク／ノード障害を有するノードのトポロジ・データベースを更新するため。
【００６２】
（３）トポロジ・データベース（ＴＤＢ）
トポロジ・データベースはノード、リンク、それらの特性、及び帯域幅の割振りに関する情報、特に、次のような情報を含む：
・  ノード及びリンクの物理的特性のような静的情報を含むネットワークの物理的トポロジ、
・  ノード及びリンクの状態
・  現在の帯域幅（使用された、及び予約された）、実時間測定値等のような動的特性を含むリンク使用率。
【００６３】
ネットワーク、ノード、又はリンクにおける各リソースに、データベースにおけるエントリが関連付けられる。更に詳しく云えば、各リンク・エントリは次のような特性を含む：
・  リンクの物理的特性
・  伝送媒体及び速度
・  サポートされる経路指定モード
・  最大パケット・サイズ
・  リンク・バッファ容量
・  伝播遅延
・  サポートされる帯域幅予約
・  その他
・  リンク状態
・  オン・ライン（リンクはユーザ接続を受け入れることができる）、
・  休止（リンクは更なるユーザ接続を受け入れることができないが、既存の接続は継続する）、
・  オフ・ライン（リンクはユーザ接続を受け入れることができず、しかも、既存の接続は取り消される）
・  その他
・  リンク使用率
・  実時間測定
・  予約済み帯域幅
・  その他
【００６４】
更に詳しく云えば、トポロジ・データベース（ＴＤＢ）は、各リンクに対してそれの全容量を含む。値 Ｃk は、リンクｋにおいて使用可能な合計帯域幅を表す。
【００６５】
ｂ．バックボーン帯域幅管理サーバ
図１８に示されるように、各帯域幅調節可能なＣＢＲ  ＶＰＣの帯域幅を調節するために、バックボーン帯域幅管理サーバ（ＢＢＭＳ）と呼ばれるサーバが定義される。バックボーン・ネットワーク全体に対して１つのアクティブ・サーバが存在し（他のサーバはバックアップとして使用可能である）、この集中型サーバはネットワーク・トポロジ及びトラフィック負荷の知識を有する。それは、前述のバックボーン・トポロジ・サービスの結果、この情報を周期的に維持及び更新する。バックボーン帯域幅管理サーバ（ＢＢＭＳ）は、トポロジ・データベースを維持するノードにおけるどれにおいても実装可能である。バックボーン帯域幅管理サーバ（ＢＢＭＳ）のホストになるようにノードを選択するためのプロセスは本発明の技術的範囲外である。例えば、スパニング・ツリーのルートとして既に使用されているノードは、ＢＢＭＳ機能のホストとなるための優良な候補となり得る。もう１つの解決方法は、ネットワーク・ノードのどれか１つからネットワーク・トポロジを検索するためにネットワーク管理サービスを使用するＲＩＳＣ（縮小命令セット・コンピュータ）ステーションのような独立したステーションにおけるバックボーン帯域幅管理サーバ（ＢＢＭＳ）機能を処理することである。
【００６６】
バックボーン帯域幅管理サーバ（ＢＢＭＳ）は、ネットワーク使用率の最適化を担当する。しかし、バックボーン・ネットワークは帰納的に最適化される。帯域幅調節可能な連続ビット・レート（ＣＢＲ）仮想パス接続（ＶＰＣ）は、バックボーン帯域幅管理サーバ（ＢＢＭＳ）に関係なく、初期の帯域幅ＢＩによって確立される。それらの帯域幅は、音声トラフィック（ＳＶＣ）の変動に従って動的に調節される。初期帯域幅ＢＩの値は、ネットワーク・アドミニストレータによって先験的に定義される。バックボーン帯域幅管理サーバ（ＢＢＭＳ）は：
・  恒久的仮想接続（ＰＶＣ）の搬送を担当する帯域幅調節可能な連続ビット・レート（ＣＢＲ）仮想パス接続（ＶＰＣ）に割り振られた帯域幅を減少又は増加させるために、バックボーン・ノードにリクエストを送る。
・  伝送リンク相互間のトラフィックを平衡させるために、及びＶＰ接続相互間の公平性を保証するために、バックボーン・ネットワークにおける帯域幅調節可能なＣＢＲ  ＶＰＣを再経路指定する。
【００６７】
バックボーン帯域幅管理サーバ（ＢＢＭＳ）は、次のことを行うように接続許可制御（ＣＡＣ）からのサービスをリクエストする：
・  初期帯域幅リクエストＢＩを得る、
・  帯域幅調節可能なＣＢＲ  ＶＰＣの帯域幅を増加／減少させる、
・  帯域幅調節可能なＣＢＲ  ＶＰＣを再経路指定する。
【００６８】
ｃ．接続割振りテーブル
バックボーン帯域幅管理サーバ（ＢＢＭＳ）環境では、接続割振りテーブル（ＣＡＴ）と呼ばれるテーブルが定義される。このテーブルは、バックボーン・ネットワークにおいて確立された接続当たりのエントリ（ＶＰＣ又はＶＣＣ／ＰＶＣ又はＳＶＣ）を含み、各エントリはＣＢＲ  ＶＰＣの帯域幅を調節するために必要なつぎのような情報を含む：
・  ＶＰＣ又はＶＣＣ名
・  その接続を所有するＣＡＣを識別するためのＣＡＣ識別子、
・  ＶＰＣｊ又はＶＣＣｊに割り振られた初期帯域幅ＢＩj
・  帯域幅調節可能なＣＢＲ  ＶＰＣｊに現在割り振られているマージナル帯域幅ＢＭj
・  その接続が調節可能であるか又は一定であるかを識別するためのインディケータ。
【００６９】
注意：
・  この説明では、ＣＢＲ  ＶＰＣは調節可能であると考えられ、一方、ＶＣＣは一定の帯域幅を有する。しかし、調節可能な接続又は一定の接続を識別するためのインディケータはプロセスの汎用化を可能にする。
・  帯域幅調節可能なＣＢＲ  ＶＰＣｊに現在割り振られている帯域幅は初期帯域幅とマージナル帯域幅との和（ＢＩj＋ＢＭj）に等しい。
・  ＶＣＣｊ／ＳＶＣｊに割り振られた帯域幅はＢＩj（一定の帯域幅）に等しい。
・  値ＢＩjは接続ｊに排他的に関連付けられ、リンクとは無関係である。
・  マージナル帯域幅ＢＭjは、ＢＩjが平均値として見なされる場合、正又は負の値を取ることができる。もう１つの可能性は、ＢＩjを最小帯域幅と見なすこと及びＢＭjを正の値に限定することである。
【００７０】
ｄ．リンク割振りテーブル
バックボーン帯域幅管理サーバ（ＢＢＭＳ）環境では、リンク割振りテーブル（ＬＡＴk）と呼ばれる一組のテーブルが、そのバックボーンネット・ワークにおける各リンクｋに対して１つとして定義される。各テーブルは、リンクｋにおいて確立された帯域幅調節可能なＣＢＲ  ＶＰＣ当たり１つのエントリより成り、各エントリは、このＣＢＲ  ＶＰＣの帯域幅を調節するために必要とされるつぎのような情報を含む：
・  ＣＢＲ  ＶＰＣ名
・  リンクｋにおける帯域幅調節可能なＣＢＲ  ＶＰＣｊにとって使用可能なマージナル帯域幅ＢＭj，k。
【００７１】
バックボーン帯域幅管理サーバ（ＢＢＭＳ）は次のような情報を維持する：
１．初期帯域幅リクエストＢＩj
新しい接続（ＶＰＣ／ＶＣＣ）が確立される度に、又は既存の接続がバックボーン・ネットワークにおいて切断される度に、接続割振りテーブル（ＣＡＴ）が初期帯域幅リクエストによって更新される。
・  ＢＩjは、接続ｊの初期帯域幅リクエストである。
各リンクｋに対して、次のようなパラメータが計算される：
・  Ｓｕｍ＿ＢＩkは、リンクｋを使用する接続ｊのすべての初期帯域幅リクエストＢＩjの和である。
・  Ｓｕｍ＿ＢＩ＿ＣＢＲkは、リンクｋにおけるすべての帯域幅調節可能なＣＢＲ  ＶＰＣｊに対する初期帯域幅リクエストＢＩjの和である（明らかに、Ｓｕｍ＿ＢＩ＿ＣＢＲk≦Ｓｕｍ＿ＢＩk）。
注意：  更に一般的に云えば、Ｓｕｍ＿ＢＩ＿ＣＢＲk は、「調節可能な接続」にセットされたインディケータを持ったすべての接続に対して計算される。
【００７２】
２．バックボーン帯域幅管理サーバ（ＢＢＭＳ）によって現在割り振られているマージナル帯域幅
この更なる帯域幅はＢＢＭＳにおいてのみ集中化され、維持される。
・  ＢＭj，kは、リンクｋにおける帯域幅調節可能なＣＢＲ  ＶＰＣｊにとって使用可能なマージナル帯域幅である（ＢＭj，kは、一定の接続に対しては０に等しい）。
・  ＢＭj は、バックボーン・ネットワークにおける帯域幅調節可能なＣＢＲ  ＶＰＣｊに割り振られたマージナル帯域幅である。ＢＭj＝ｍｉｎk（ＢＭj，k）＝接続のパスに沿った使用可能な最小マージナル帯域幅。
・  Ｓｕｍ＿ＢＭkは、リンクｋにとって使用可能なマージナル帯域幅の和である。
【００７３】
初期リクエストＢＩjに従って所与のリンクｋにおける予約済み帯域幅はＳｕｍ＿ＢＩkに等しい。この帯域幅はいつもリンク容量Ｃkよりも小さい。接続ｊに割り振られた帯域幅は、初期帯域幅リクエスト・プラス・その接続のパスに沿った現在使用可能なマージナル帯域幅の最小値（ＢＩj＋ｍｉｎk（ＢＭj，k））に等しい。リンクｋにおける予約済み帯域幅は、Ｓｕｍ＿ＢＩk＋Ｓｕｍ＿ＢＭkよりも小さいか又はそれに等しい。
【００７４】
ｆ．帯域幅調節
図１９は、周期的に更新されたＰＶＣ及びＳＶＣ予約レベルに従って、連続ビット・レート（ＣＢＲ）仮想パス接続（ＶＰＣ）の帯域幅を動的に調節するための方法のフローチャートである。
【００７５】
ステップ１９０１：  先ず、帯域幅調節可能なＣＢＲ仮想パス接続（ＶＰＣ）ｊがバックボーン・ネットワークにおけるオリジン・ノードによって（例えば、図１８におけるノード３によって）確立される。ＣＢＲ  ＶＰＣ初期帯域幅リクエストＢＩｊ、リンクにおける現在の予約レベル、ＣＢＲのサービスの質等に従ってルートが選択される。これらのオペレーションは、オリジン・ノードの接続許可制御（ＣＡＣ）によって遂行される。ＣＡＣは、ＶＰＣが確立又は切断される度に、バックボーン帯域幅管理サーバ（ＢＢＭＳ）に知らせる。
同じオペレーションがＳＶＣ／ＶＣＣに対して遂行される。唯一の相違点は、接続がＢＢＭＳのリンク割振りテーブル（ＬＡＴｋ）において一定の帯域幅としてマークされるということである。
【００７６】
ステップ１９０２：  新しい接続が確立される度に、バックボーン帯域幅管理サーバ（ＢＢＭＳ）が接続割振りテーブル（ＣＡＴ）を初期帯域幅リクエストＢＩjでもって更新し、リンク割振りテーブルにおけるマージナル帯域幅を値０に初期化する。
【００７７】
ステップ１９０３：  それのバックグラウンド・プロセスにおいて、連続又は周期的モード時に、バックボーン帯域幅管理サーバ（ＢＢＭＳ）が、各リンクｋに対して、帯域幅調節可能なＣＢＲ  ＶＰＣ及び一定帯域幅接続（ＳＶＣ）の予約レベルを監視する。それは、各帯域幅調節可能なＣＢＲ  ＶＰＣに割り振り可能な追加の帯域幅のレベルを決定する：
ＢＭｊ、ｋ＝（Ｃｋ−Ｓｕｍ＿ＢＩｋ）＊ＢＩｊ／Ｓｕｍ＿ＢＩ＿ＣＢＲｋ（１）
上式は、（Ｃｋ−Ｓｕｍ＿ＢＩｋ）に等しいリンクｋにおける未割振りの帯域幅の量を決定し、すべての帯域幅調節可能なＣＢＲ  ＶＰＣにこの帯域幅の公平な共用分を与える。ここでは、その共用分は初期帯域幅リクエストＢＩｊに比例する。
リンク割振りテーブル（ＬＡＴｋ）は計算されたマージナル帯域幅ＢＭｊ、ｋでもって更新される。
【００７８】
ステップ１９０４：  帯域幅調節可能なＣＢＲ  ＶＰＣに割振り可能であるマージナル帯域幅が、実際には、各リンクｋがその接続のパスに沿って受け入れ可能である最小を表す：
ｎｅｗ＿ＢＭj＝ｍｉｎk（ＢＭj，k）
【００７９】
ステップ１９０５：  次のような重要な変化がｎｅｗ＿ＢＭjにおいて観察されるかどうかをテストが決定する。
（ｎｅｗ＿ＢＭj−ＢＭj）の絶対値＞所与の閾値？
ステップ１９０６：  肯定応答である場合、バックボーン帯域幅管理サーバ（ＢＢＭＳ）が、帯域幅を新しい帯域幅（ＢＩj＋ＢＭj）でもって調節するためにオリジン・ノードの接続許可制御（ＣＡＣ）をリクエストする。又、ＢＢＭＳが、接続割振りテーブル（ＣＡＴ）を新しい値ＢＭjでもって更新する。
ステップ１９０７：  そうでない場合、ＢＭjの現在の値は変更されないままである。
【００８０】
ステップ１９０８：  接続許可制御（ＣＡＣ）が新しい帯域幅の値をＢＢＭＳから受け取る。
【００８１】
ステップ１９０９：  接続許可制御（ＣＡＣ）は帯域幅調節可能なＣＢＲ  ＶＰＣに割り振られた帯域幅を次のステップによって調節する。
ステップ１９１０：  新しい帯域幅が前の帯域幅よりも小さい場合、帯域幅調節可能なＣＢＲ  ＶＰＣの帯域幅を減少させる。
ステップ１９１１：  新しい帯域幅が前の帯域幅よりも大きい場合、帯域幅調節可能なＣＢＲ  ＶＰＣの帯域幅を増加させる。
【００８２】
注意：  式（１）は極めて単純化されたものであるが、次の点を考慮して改良可能である：
・  バックボーン帯域幅管理サーバ（ＢＢＭＳ）が事後最適化を遂行する前の任意の時間に、少なくとも幾つかの音声接続（ＳＶＣ）を確認するためにオーバブッキングに対する保護が受け入れ可能である。この保護は必要とされないことがある。この保護は、それが必要とされる場合、実際のリンク速度／容量よりも低いリンク速度／容量を定義することによって達成される。新しい式は次のようになる：
ＢＭj、k＝（Ｃ'k−Ｓｕｍ＿ＢＩk）＊ＢＩj／Ｓｕｍ＿ＢＩ＿ＣＢＲk（１）但し、Ｃ'k＝実際のリンク容量−予測された音声接続（ＳＶＣコール）に対する帯域幅。
・  帯域幅調節可能なＣＢＲ  ＶＰＣに対して予約された最小帯域幅。この帯域幅は、音声接続（ＳＶＣコール）のためにパス選択プロセスにおいて考慮されるべきものである。
【００８３】
ｇ．公平性及び負荷平衡
それのバックグラウンド・プロセスにおいて、しかし、低い頻度（例えば、１０分毎）でもって、バックボーン帯域幅管理サーバ（ＢＢＭＳ）がネットワーク予約レベルを監視し、ネットワークが正しく平衡していること又は帯域幅が帯域幅調節可能なＣＢＲ仮想パス接続（ＶＰＣ）の間で公平に共用されていることを確認する。その基準は：
・  現在割り振られている帯域幅と初期帯域幅リクエストとの間の差が大きすぎる：
ＢＭｊ＜所与の負の閾値
その基準に遭遇する場合、帯域幅調節可能なＣＢＲ  ＶＰＣは再経路指定される。
・  又は、仮想パス接続相互間の帯域幅割り振りの差が大きすぎる：
ｍａｘｊ（（ＢＩｊ＋ＢＭｊ）／ＢＩｊ−
ｍｉｎｊ（（ＢＩｊ＋ＢＭｊ）／ＢＩｊ）＞
所与の閾値
但し、所与の閾値は許容度のレベルを定義する。
基準が適合する場合、最低の追加帯域幅ＢＭｊ／ＢＩｊを持った帯域幅調節可能なＣＢＲ  ＶＰＣが先ず再経路指定される。
何れの場合も、接続許可制御（ＣＡＣ）における再経路指定リクエストが新しいパス選択プロセスをトリガし、バックボーン・ネットワークにおける帯域幅割振りを再最適化する：
・  より良いパスを見つけることができなかった場合、帯域幅調節可能なＣＢＲ仮想パス接続（ＶＰＣ）はそれの現在の割振りのままである。
・  より良いパスを見つけることができた場合、非破壊的パス交換（ＮＤＰＳ）が新しいパスを利用するために生じる。
【００８４】
ｈ．学習曲線
ネットワーク応答時間を改良すること及びすべての音声接続（ＳＶＣ）を確認することがピーク時間に受け入れられ、統計が日付と共に記録され、これらの音声接続の動作がシミュレートされる。これは、実際に要求が生じる前に、帯域幅管理サーバがＳＶＣリクエストを予測すること及び帯域幅調節可能なＣＢＲ仮想パス接続（ＶＰＣ）に割り振られた帯域幅を減少させることを可能にする。
【００８５】
ｉ．ＣＢＲ  ＶＰＣ帯域幅更新
ＣＢＲ  ＶＰＣの帯域幅が変化する時、ＶＰＣソース（ノード２）はこの変化を次のように知らされる：
・  例えば、パケット／セル消失レートを観察することによって暗黙的に、又は
・  明示的に。
【００８６】
後者の場合、仮想パス接続（ＶＰＣ）が一定ビット・レート（ＣＢＲ）サービス・カテゴリに対して定義される時、ＡＴＭ可用ビット・レート（ＡＢＲ）機構は適応しない。しかし、図１８に戻って参照すると、バックボーン・ネットワークの端部におけるノード３は、ＲＭセル（ＡＢＲ  ＲＭセルと同じＲＭセル、或いは財産権のあるフォーマットを持ったＲＭセル）をアクセス・ノード２に送ることができる。このＲＭセルは、バックボーン帯域幅管理サーバ（ＢＢＭＳ）によって割り振られた新しい伝送レート又は新しい帯域幅を帯域幅調節可能なＣＢＲ  ＶＰＣに伝送する。アクセス・ノード２の機能は、少なくとも、新たに割り振られた帯域幅に従って帯域幅調節可能なＣＢＲ  ＶＰＣの整形機能を調節することである。そのうえ、アクセス・ノードは、ＡＴＭ仮想チャネル接続（ＶＣＣ）において種々のアクションを取ることができる。例えば、それは次のことができる：
・  或るＶＣＣに対するＡＢＲ仮想宛先として作用する。
・  或るＶＣＣにおける帯域幅を任意に減少又は増加させる。
・  帯域幅減少の場合、或るＶＣ接続をドロップする。
・  明示的順方向輻輳表示（ＥＦＣＩ）をトリガする。
・  その他
【００８７】
Ｋ．ＡＢＲ  ＶＰＣインターフェースを持ったＣＢＲ  ＶＰＣ
ＡＴＭフォーラムにおいて定義されたＡＴＭ仕様は、如何なる帯域幅調節可能なＣＢＲ  ＶＰＣも定義していない。このサービス・カテゴリは標準ではなく、それの実装はバックボーン・ネットワーク・プロバイダに依存する。図７及び図８に示されるように、ＡＴＭバックボーン・ネットワークにおいて帯域幅調節可能なＣＢＲ  ＶＰＣを含む構成を次のように考えることが可能である。
【００８８】
・  アクセス・ネットワーク及びバックボーン・ネットワークの両方とも同じネットワーク・プロバイダによって管理される場合、ＶＰＣ伝送レートを含む調節情報をバックボーン・ネットワークからアクセス・ネットワークに搬送するための特定の（財産権のある）解決方法を定義することは可能である。この場合、財産権のあるＲＭセル（ＡＴＭ仕様において定義された或いは定義されてないフォーマットを持った）が、アクセス・ネットワーク及びバックボーン・ネットワークの間（ノード２及びノード３の間）のインターフェースにおいて使用可能である。
注意：  これは、ＡＴＭ仕様がＣＢＲ  ＶＰＣにおけるＲＭセルを記述してないので「財産権のある」といわれる。
【００８９】
・  アクセス・ネットワーク及びバックボーン・ネットワークが同じプロバイダによって管理されない場合、更に融通性のある構成が考えられる。この場合、標準的なインターフェースしか使用することができない。１つの解決方法は、バックボーン・ネットワークにおいて確立された財産権のあるＣＢＲ  ＶＰＣに対するこの標準的なインターフェースを設けるために、ノード２及び３の間に可用ビット・レート（ＡＢＲ）仮想パス接続（ＶＰＣ）を構成することである。ノード２はＡＢＲ  ＶＰＣを見るであろうし、恰もエンド・ツー・エンドＡＢＲ  ＶＰＣが設定されたかのように反応する。バックボーン・ネットワークでは、ＡＢＲＶＰＣの宛先及び調節可能なＡＢＲ  ＶＰＣのソースにおけるノード３がそのＡＢＲ  ＶＰＣにおいてＣＢＲ  ＶＰＣ帯域幅調節をＲＭセル更新に変換する役割を果たすであろう。
【００９０】
図１１は、本発明に従って、ＡＢＲ  ＶＰＣによってアクセスされたバックボーン・ネットワークにおけるＣＢＲ  ＶＰＣに関連して標準的なＲＭセルを使用して、ＡＴＭアクセス・ネットワーク及びＡＴＭバックボーン・ネットワークがコミュニケートする方法を示す。
【００９１】
１．可用ビット・レート仮想パス接続（ＡＢＲ  ＶＰＣ）がソース・アクセス
・ネットワーク（アクセス・ネットワーク１）のエンド・ノード（ノード２）とそれに接続されたバックボーン・ネットワーク（ノード３：バックボーン・アクセス・ノード）との間に設定される。このＡＢＲ  ＶＰＣにおけるＲＭセルは広いタイム・インターバルで発生可能である。それは、ＡＢＲ  ＶＰＣ帯域幅がＣＢＲ  ＶＰＣ帯域幅のゆっくりした変動に従って調節されるためである。
【００９２】
２．ＡＢＲ  ＶＰＣのオリジン・ノード（ノード２：ＡＴＭアクセス・ネットワークのエンド・ノード）がリソース管理セル（ＲＭセル）を発生し、それらを、それに接続された第１バックボーン・ノード（ノード３：バックボーン・アクセス・ノード）に送る。
【００９３】
３．ＡＴＭバックボーン・ネットワークのアクセス・ノード（ノード３）が、接続許可制御（ＣＡＣ）によってＣＢＲ  ＶＰに割り振られた帯域幅／レートでもってＲＭセルを更新し、それらを逆方向ＲＭセルとしてＡＢＲ  ＶＰＣのオリジン・ノード（ノード２）に返送する。そこで、ＡＢＲ  ＲＭセルはソース・アクセス・ネットワークとバックボーン・ネットワークとの間にフロー制御インターフェースを提供するために使用される。
【００９４】
ＲＭセルがＡＢＲ  ＶＰＣのオリジン・ノード（ノード２）において新しい帯域幅通知と共に受信される場合、トラフィック・ネットワークの新たな使用可能度に従って調節されるであろう：
・  帯域幅の減少が通知される場合、トラフィック・ソースは、ＡＢＲ仮想パス接続（ＶＰＣ）のオリジン・ノード（ノード２）におけるセル消失を回避するためにそれらのトラフィックを制限しなければならないであろう。
・  帯域幅の増加が通知される場合、トラフィック・ソースは、更に多くのトラフィックを発生することが可能であるということを知らされるであろう。
【００９５】
Ｌ．帯域幅管理
１．仮想チャネル接続（ＶＣＣ）
図８に示されるように、可用ビット・レート（ＡＢＲ）又は帯域幅調節可能な連続ビット・レート（ＣＢＲ）仮想パス接続（ＶＰＣ）が、次のような種々のサービス・カテゴリを使用して複数の仮想チャネル接続（ＶＣＣ）を搬送することができる：
【００９６】
（ａ）ＣＢＲ接続
接続設定時に、その接続のピーク・セル・レート（ＰＣＲ）値（＝平均的レート）に対応する帯域幅がＡＴＭアクセス・ネットワークにおける事前選択されたパスに沿って割り振られる。
【００９７】
（ｂ）ＡＴＭ又はフレーム・リレー（ＡＴＭ／ＦＲ）固定帯域幅（古典的）接続接続設定時に、ＡＴＭアクセス・ネットワークにおける事前選択されたパスに沿って帯域幅が割り振られる。その割り振られた帯域幅はその接続のすべてのライフの間未変更のままである。
【００９８】
（ｃ）帯域幅調節オプションを持った予約済み接続（ＮＢＢＳ：ネットワーキング広帯域サービス接続）
接続設定時に、ＡＴＭアクセス・ネットワークにおける事前選択されたパスに沿って帯域幅が割り振られる。その割り振られた帯域幅は初期の平均レートに基づいている。そこで、ポリーシング・モジュールによって測定されたソースの動作に従って、ＶＣＣの帯域幅が調節される（増加又は減少させられる）。接続の初期の平均レートは、通常、その接続のために算定された長期間の平均レートに対応する。最小帯域幅予約が指定可能である。ＮＢＢＳ接続に関する更なる情報は、１９９５年６月にＩＢＭインターナショナル・テクニカル・サポート・センタが発行した文献番号ＧＧ２４−４４８６−００の「ネットワーキング広帯域サービス（ＮＢＢＳ）−アーキテクチャ・チュートリアル（Networking Broadband Services(NBBS) - Architecture Tutorial）」と題した刊行物においてみることができる。
【００９９】
（ｄ）フレーム・リレー又はＡＴＭ非予約済み接続
フレーム・リレー又がＡＴＭ接続は、全体的に非予約済み（ＡＴＭに対する未指定ビット・レートＵＢＲ）又は最小帯域幅予約を持った非予約済み（ＡＴＭに対するＡＢＲ）となり得る。これらの接続に割り振られた帯域幅はヌルであるか又は最小セル・レート（ＡＢＲに対するＭＣＲ）に等しい。
【０１００】
２．ＡＴＭアクセス・ネットワークにおけるエンド・ノード
所与のＡＢＲ又はＣＢＲ仮想パス接続（ＶＰＣ）における種々のカテゴリの接続の間で帯域幅を共用するという本願の方法は、ＡＴＭアクセス・ネットワークのエンド・ノード（ノード２）においてインプリメントされる。上記のエンド・ノードには、所与の出力リンク又は出力リンクのグループを管理する役割を持った「アダプタ」と呼ばれるリソース及びスイッチが存在するものと仮定すると、その方法は、リンクが仮想パス接続（ＶＰＣ）をサポートすることに責任を持つアダプタにおいてインプリメントされる。一般に、アダプタは次のような３つの部分を含んでいる：
・  データ・トラフィックを処理するための２つの部分（スイッチング／フロー制御機能）、即ち、受信及び送信エレメント。
・  プロセッサ、即ち、望ましい実施例では、トラフィックの放出及び受領を制御する役割を持つ汎用プロセッサに基づく１つの部分。このプロセッサは、アダプタから生じた仮想パス接続（ＶＰＣ）の制御及び管理に専用の「仮想パス接続・マネージャ」（ＶＰＣＭ）と呼ばれるモジュールを含む。それは、アダプタ当たり１つのＶＰＣＭが存在するか又はリンク当たり１つのＶＰＣＭが存在するかに関するインプリメンテーションの選択である。本実施例では、リンク当たり１つのＶＰＣＭが存在するものと仮定する。
【０１０１】
３．仮想パス接続マネージャ
ＶＰＣソース・ノードにおいて、各仮想パス接続マネージャ（ＶＰＣＭ）は、それらが責任を持っているリンク上に確立されたＶＰＣの帯域幅を監視する。これらのＶＰＣの帯域幅情報は更新され、仮想パス接続テーブル（ＶＰＣＴ）と名付けられたテーブルに維持される。リンク当たり１つのこのテーブルは、予約された帯域幅との各接続に対して１つのエントリを含む。ＶＰＣＭは、リンク上の各サービス・カテゴリ（ＣＢＲ、ＶＢＲ、ＡＢＲ、．．．）に対して割り振られた帯域幅の合計量も決定する。特定のサービス・カテゴリに対して予約済み合計帯域幅は、上記サービス・カテゴリを使用する各接続に対して予約された帯域幅の和に等しい。結局、ＶＰＣＭは、リンクの帯域幅割振りに関連したすべての情報を、トポロジ・データベース（ＴＤＢ）として知られたテーブルに信号する責任がある。トポロジ・データベースは、リンクの帯域幅割振りにおける大きな変化が生じ、他のすべてのネットワーク・ノードのトポロジ・データベースを更新するためにメッセージがそれらのネットワーク・ノードに送られる度に更新される。
【０１０２】
４．帯域幅調節
図１３は帯域幅調節機構を示し、特に、逆方向ＲＭセルを受信する受信エレメントと、ＡＢＲ又はＣＢＲ仮想パス接続においてトラフィックを送る送信エレメントとの間の所与のアダプタにおける関係を示す。
【０１０３】
ステップ１３０１：  受信エレメントが、特定のＡＢＲ（標準的なＲＭセル）又は調節可能なＣＢＲ（財産権のあるＲＭセル）ＶＰＣに関連したＲＭセルをＡＴＭバックボーン・ネットワークから受信し、輻輳表示（ＣＩ）、無増加（ＮＩ）、及び／又は明示レート（ＥＲ）．．．フィールドから伝送レートを取り出す。
【０１０４】
ステップ１３０２：  ＣＩ、ＮＩ、ＥＲ、．．．フィールドにおいてＲＭセルによって搬送されたこの伝送レートが仮想パス接続マネージャ（ＶＰＣＭ）に伝送される。
【０１０５】
ステップ１３０３：  仮想パス接続マネージャ（ＶＰＣＭ）が対応するＶＰＣに対する整形機能を再初期化し、新しい整形レートを計算し、仮想パス接続テーブル（ＶＰＣＴ）におけるＶＰＣの「割り振られた帯域幅」フィールドを更新する。
【０１０６】
ステップ１３０４：  ＶＰＣに新たに割り振られた帯域幅から、このＶＰＣ内の各ＶＣＣの帯域幅が、ＶＰＣＴに維持された値に基づいて再評価される。そのプロセスが図１５に示される。
【０１０７】
ＡＢＲ又はＣＢＲ仮想パス接続（ＶＰＣ）の帯域幅が修正される時、仮想パス接続マネージャ（ＶＰＣＭ）は、新しいＶＰＣ帯域幅に従って各仮想チャネル接続（ＶＣＣ）に割り振られた新しい帯域幅を計算する役割を持つ。望ましい実施例では、既存のトラフィックの伝送レートを事前設定の値に制限するために、アダプタの伝送部分に整形機能が与えられる。
【０１０８】
５．仮想パス接続テーブル
ＶＰＣソース・ノードにおいて、各仮想パス接続マネージャ（ＶＰＣＭ）は、それが責任を持つリンク上に確立されたＶＰＣの帯域幅を監視する。更に詳しく云えば、それらは、次のような時にいつも仮想パス接続テーブル（ＶＰＣＴ）を更新する：
・  仮想パス接続（ＶＰＣ）がバックボーン・ネットワークにおいて確立されるか又は切断される。
・  仮想チャネル接続（ＶＣＣ）が確立、切断、又は調節される。この場合、対応するＶＰＣ（そのＶＣＣを含むもの）の帯域幅の割振り及び利用に関連する情報が更新される。
・  仮想パス接続（ＶＰＣ）の帯域幅が調節される（バックボーンから戻された逆方向ＲＭセルの受信時）。
【０１０９】
図１４に示されるように、それが責任を持つリンク上に確立された各仮想パス接続（ＶＰＣ）に対して、仮想パス接続マネージャ（ＶＰＣＭ）は、次のようなパラメータ（値が、例えば、リンク１上にＶＰＣ１として与えられる）を、他の情報の間に仮想パス接続テーブル（ＶＰＣＴ）に記憶及び更新する。
Ａ：  予約済みの一定の帯域幅接続によって使用される帯域幅（ａ及びｂ、３Ｍｂｐｓ）、
Ｂ：  予約済みの調節可能な帯域幅接続によって使用される帯域幅（ｃ、２５Ｍｂｐｓ）、
Ｃ：  一定の帯域幅接続に対して予約された帯域幅（ａ及びｂ、５Ｍｂｐｓ）、
Ｄ：  帯域幅調節可能な接続に対して予約された帯域幅（ｃ、４３Ｍｂｐｓ）
Ｅ：  予約済みの接続に割り振られた最小帯域幅予約の和（ａ、ｂ、及びｃ、１５Ｍｂｐｓ）＝  一定帯域幅接続に割り振られた帯域幅（ａ及びｂ）＋  帯域幅調節可能な接続に割り振られた最小帯域幅予約（ｃ）
Ｆ：  ＡＢＲ接続に割り振られた最小帯域幅予約の和（ｄ）（ＭＣＲの和：２Ｍｂｐｓ）
Ｇ：  使用された合計帯域幅（ａ，ｂ、ｃ、及びｄ、５０Ｍｂｐｓ）
Ｈ：  割り振られた合計帯域幅（Ｈ＝Ｃ＋Ｄ＋Ｆ＝６３Ｍｂｐｓ）
Ｉ：  非予約済み仮想チャネル接続の数（１００接続）
【０１１０】
注意：  非予約済み（ＮＲ）トラフィックに関して、仮想パス接続マネージャ（ＶＰＣＭ）は可用ビット・レート／フレーム・リレー（ＡＢＲ／ＦＲ）接続がある場合のそれの最小予約と、このリンクを介して経路指定された非予約済み接続ＶＣＣの合計数との和を含む。
【０１１１】
定期的に、又は特定の事象時に、仮想パス接続マネージャ（ＶＰＣＭ）は、サービスの各カテゴリに対する割り振られた帯域幅によって、それの責任の下でのリンクのステータスをノードのトポロジ・データベース（ＴＤＢ）にレポートする。トポロジ・データベース（ＴＤＢ）は、サービスのカテゴリ及びネットワークにおけるリソースのステータスに基づいて新しい接続に対する最適なパスを選択するために使用される。
【０１１２】
６．帯域幅割振り及び最適化
図１５は次のような帯域幅割振りプロセスのフロー・チャートである。
【０１１３】
ステップ１５００：  輻輳インディケータ（ＣＩ）フィールド、又は／及び、無増加（ＮＩ）フィールド、又は／及び、新しい伝送レートを表す明示レート（ＥＲ）フィールド（ｎｅｗ＿Ｈ）と共にＲＭセルをＡＢＲ又は帯域幅調節可能なＣＢＲ仮想パス接続（ＶＰＣ）を受け取る時、仮想パス接続マネージャ（ＶＰＣＭ）は次のように動作する。
【０１１４】
ステップ１５０１：  新しい帯域幅（ｎｅｗ＿Ｈ）が前に割り振られた帯域幅（Ｈ）よりも高いか否かをテストが決定する。
【０１１５】
ステップ１５０２：  新しい帯域幅（ｎｅｗ＿Ｈ）が前に割り振られた帯域幅（Ｈ）よりも高い場合、更なる帯域幅をリクエストする帯域幅調節オプション（ｃ）を持った予約済みＶＣ接続が優先順位に関して満たされるであろう。ＶＰＣＭは、非予約済みＶＣ接続（ｄ）に対する新たな「非予約済み」伝送レートを計算する前に、これらの予約済みＶＣ接続の完全な調節（タイマによる）を待つ。この伝送レートは、帯域幅調節オプションを持った予約済みＶＣ接続（ｃ）の要件に従って、前のレートよりも高いこと又は低いことがある。予約済みＶＣ接続（ｃ）の調節の後（タイマ満了時）、リンク容量及び実際に使用された帯域幅の間の差に等しい使用可能な帯域幅又は未使用の帯域幅が次のように測定される。
リンク容量 −（Ａ＋Ｂ）
が測定される。「非予約済み」ＶＣ接続（ｄ）が上記それらの最小帯域幅（Ｆ）を使用し得る帯域幅は次式に等しい。
リンク容量 −（Ａ＋Ｂ＋Ｆ）
そこで、この合計量の帯域幅が、任意のＥＲ計算アルゴリズム（例えば、ＥＰＲＣＡ、ＥＲＩＣＡ − ＡＴＭフォーラム・トラフィック管理仕様  バージョン４.０のインデックス  Ｉ）に従って「非予約済み」ＶＣ接続（ｄ）の間で共用される。
【０１１６】
・  新しい帯域幅（ｎｅｗ＿Ｈ）が前に割り振られた帯域幅（Ｈ）よりも小さい場合、ＶＰＣＮは次のようになる。
ステップ１５０３：  新しい帯域幅（ｎｅｗ＿Ｈ）と前に割り振られた帯域幅（Ｈ）との間の差（ＤＢ）を計算する。
ＤＢ ＝ Ｈ−ｎｅｗ＿Ｈ
【０１１７】
ステップ１５０４：  そのリンク上のすべての接続に対する次式に等しい予約済み帯域幅の合計（Ｃ＋Ｄ＋Ｆ）がいつも新しい帯域幅（ｎｅｗ＿Ｈ）よりも小さいか否かを検証する：
Ｃ（予約済み一定帯域幅ＶＣ接続（ａ，ｂ）に対する予約済み帯域幅）＋
Ｄ（予約済み帯域幅調節可能ＶＣ接続（ｃ）に対する予約済み帯域幅）＋
Ｆ（「非予約済み」ＶＣ接続（ｄ）（ＡＴＭ  ＡＢＲ、又はＦＲ非予約済み）に対する最小予約済み帯域幅）。
【０１１８】
ステップ１５０５：  それが肯定される場合、予約済みＶＣ接続（ａ，ｂ，ｃ）の帯域幅及び「非予約済み」ＶＣ接続（ｄ）の予約可能部分は変更されないままである。接続の非予約済み部分が再び計算される。
【０１１９】
ステップ１５０６：  それが否定される場合、「非予約済み」ＶＣ接続の非予約済み部分が予約されなければならない（最小予約済み（ＭＣＲ）に加えて「非予約済み」ＶＣ接続に割り振られる帯域幅はない）。
【０１２０】
ステップ１５０７：  自由にされなければならない更なる帯域幅は次式に等しい：
ＤＢ' ＝（Ｃ＋Ｄ＋Ｆ）− ｎｅｗ＿Ｈ
ここでは、Ｃ＋Ｄ＋Ｆ＞ｎｅｗ＿Ｈであるので（ステップ１５０４）、ＤＢ'はいつも０よりも高いことに注意してほしい。
これらの接続の間に優先順位を仮定すると、ＶＣ接続の予約済み部分に１つの比率が適用されなければならない。調節可能な帯域幅を持った予約済みＶＣ接続がインパクトを受ける。
【０１２１】
ステップ１５０８：  「Ｅ」、即ち、一定値を持った予約済みＶＣ接続（ａ，ｂ）又は調節可能な帯域幅をもった予約済みＶＣ接続（ｃ）の最小帯域幅の和と、「Ｃ＋Ｄ」、即ち、現在の予約済み帯域幅の和とを仮定すると、ＶＰＣＭは次のようにＶＣ接続（ｄ）の調節可能な予約済み帯域幅を計算し：
（Ｃ＋Ｄ−Ｅ）
その結果をＤＢ'と比較する。
【０１２２】
ステップ１５０９：  （Ｃ＋Ｄ−Ｅ）＞ＤＢ' である場合、予約済みＶＣ接続（ｃ）に対する帯域幅は次のようになる：
ｎｅｗ＿予約済み帯域幅（ｉ）＝
（ｏｌｄ＿予約済み帯域幅（ｉ）−
最小帯域幅予約（ｉ））＊ＤＢ'／（Ｃ＋Ｄ−Ｅ）＋
最小帯域幅予約（ｉ）
比率Ｒは次のようになる：
Ｒ ＝（ｎｅｗ＿予約済み帯域幅（ｉ）−
最小予約済み帯域幅（ｉ））／
（ｏｌｄ＿予約済み帯域幅（ｉ）−
最小予約済み帯域幅（ｉ））
Ｒ ＝ ＤＢ’／（Ｃ＋Ｄ−Ｅ）
これは、ソース（ＡＴＭ／ＦＲアクセス・ノード）が、最小帯域幅予約に加えて予約済みＶＣ接続（ｃ）に割り振られた帯域幅を、この比率から見て修正するために、それらのソースに送られる。新しい接続帯域幅が次のようにアクセス・ノードにおいて計算される：
最小帯域幅予約（ｉ）＋Ｒ＊
（ｏｌｄ＿予約済み帯域幅（ｉ）−
最小帯域幅予約（ｉ））
【０１２３】
ステップ１５１０：  （Ｃ＋Ｄ−Ｅ）＜ＤＢ' である場合、次のようになる。
ｎｅｗ＿予約済み帯域幅（ｉ）＝
最小帯域幅予約（ｉ）。
このレベルでは、すべての調節済み帯域幅がそれらの最小値まで減少している：
・  「非予約済み」ＶＣ接続（ｄ）に対する最小予約済みレート（ＭＣＲ）に加えて非予約済み帯域幅がない。又は
・  帯域幅調節可能な予約済みＶＣ接続（ｃ）に対する最小帯域幅予約に加えて割り振られた帯域幅がない。
【０１２４】
ステップ１５１１：  次のステップは、使用されるネットワーク・アーキテクチャに従って、優先順位のレベルに基づいてＶＣ接続を優先使用することより成る。例えば、ＮＢＢＳ（ネットワーキング広帯域サービス）アーキテクチャが２つレベルの優先順位（低優先順位及び高優先順位）を提供する。望ましい実施例では、最後のケースが到達しないであろうということ及び、いずれにしても、それが接続の最小レートの賢明な設定によって回避可能であろうというが仮定される。実時間（ＲＴ）及び非実時間（ＮＲＴ）一定帯域幅仮想チャネル接続（ＶＣＣ）（ａ，ｂ）に対して、そのような接続を搬送するために必要な帯域幅調節可能な仮想パス接続（ＶＰＣ）にいつも十分な帯域幅が残されているものと仮定する。
【０１２５】
Ｍ．結論
帯域幅調節可能な連続ビット・レート（ＣＢＲ）仮想パス接続（ＶＰＣ）に関連して本発明を説明したけれども、それの利用範囲は、すべてのタイプの帯域幅調節可能な仮想パス接続（ＶＰＣ）に拡大可能である。
【０１２６】
特に、本発明を望ましい実施例に関連して示し、説明したけれども、本発明の精神及び技術的範囲を逸脱することなく、形式及び詳細における種々な変更を行い得ることは明らかであろう。
【図面の簡単な説明】
【図１】ＡＴＭネットワークの概要を示す図である。
【図２】ＡＴＭネットワークにおける経路指定の概念を示す図である。
【図３】ＡＴＭネットワークにおけるリンク、ＶＰ、及びＶＣの間の関係を要約した図である。
【図４】ＡＴＭフォーラムに従った、ソース及び宛先の間のＡＢＲ制御ループの例を示す図である。
【図５】ソース・エンド・システム及び宛先エンド・システムの間のエンド・ツー・エンド可用ビット・レート仮想チャネル接続（ＡＢＲ  ＶＣＣ）の確立を示す図である。
【図６】バックボーン・ネットワークにおける可用ビット・レート仮想パス接続（ＡＢＲ  ＶＰＣ）の確立を示す図である。
【図７】バックボーン・ネットワークにおける動的帯域幅割振りを持った連続ビット・レート仮想パス接続（ＣＢＲ  ＶＰＣ）の確立を示す図である。
【図８】バックボーンネットワークにおいて帯域幅調節可能なＣＢＲをインターフェースするための、アクセス・ネットワーク及びバックボーン・ネットワークの間のＡＢＲ仮想パスの確立を示す図である。
【図９】バックボーン・ネットワーク及びアクセス・ネットワークを通した仮想パス接続及び仮想チャネル接続の確立を示す図である。
【図１０】バックボーン・ネットワーク上に確立されたＡＢＲ仮想パス（ＶＰ）を管理するために、アクセス・ネットワーク及びバックボーン・ネットワークをインターフェースする方法を示す図である。
【図１１】バックボーン・ネットワーク上に設定されたＣＢＲ仮想パス（ＶＰ）を管理するために、アクセス・ネットワーク及びバックボーン・ネットワークをインターフェースする方法を示す図である。
【図１２】ＡＴＭバックボーン・ネットワーク上に確立されたＡＢＲ又はＣＢＲ仮想パスによって本発明に従いサポートされ得る、種々のタイプの仮想チャネル接続（ＶＣＣ）を示す図である。
【図１３】帯域幅調節機構、特に、逆方向ＲＭセルを受信する受信部分、ＶＰＣ送信レートを計算する仮想パス接続マネージャ（ＶＰＣＭ）、及び整形されたトラフィックをＡＢＲ又はＣＢＲ仮想パス接続（ＶＰＣ）を介して送る送信部分の間の所与のアダプタ内での関係を示す図である。
【図１４】仮想パス接続テーブル（ＶＰＣＴ）の概要図である。
【図１５】帯域幅共用プロセスのフロー・チャートである。
【図１６】音声トラフィックの変更に従ってバックボーン・リンクに確立されたＡＢＲ又はＣＢＲ仮想パス接続（ＶＰＣ）の帯域幅調節を示す図である。
【図１７】複数のアクセス・ネットワークを持ったバックボーン・ネットワークを含むＡＴＭネットワークの概要図である。
【図１８】バックボーン帯域幅管理サーバ（ＢＢＭＳ）によって制御されたバックボーン・ネットワークにおける連続ビット・レート（ＣＢＲ）仮想パス接続（ＶＰＣ）を示す図である。
【図１９】連続ビット・レート（ＣＢＲ）仮想パス接続（ＶＰＣ）の帯域幅を動的に調節するための方法のフロー・チャートである。
【図１】
0003732981.tif 000002
【図２】
0003732981.tif 000003
【図３】
0003732981.tif 000004
【図４】
0003732981.tif 000005
【図５】
0003732981.tif 000006
【図６】
0003732981.tif 000007
【図７】
0003732981.tif 000008
【図８】
0003732981.tif 000009
【図９】
0003732981.tif 000010
【図１０】
0003732981.tif 000011
【図１１】
0003732981.tif 000012
【図１２】
0003732981.tif 000013
【図１３】
0003732981.tif 000014
【図１４】
0003732981.tif 000015
【図１５】
0003732981.tif 000016
【図１６】
0003732981.tif 000017
【図１７】
0003732981.tif 000018
【図１８】
0003732981.tif 000019
【図１９】
0003732981.tif 000020